(57)【特許請求の範囲】
【請求項１】
複数のセグメントで数字や文字などを可変的に表示する広告掲示用の可変表示パネルとして、２枚の可撓性を備える色違いのフィルムを重ね、これらに切り込みを入れることにより、セグメント領域の重なる表裏１対の舌片を、これらを表裏方向へ押すと表面に出る方が入れ替わるように形成したことを特徴とする可変表示パネル。
【請求項２】
１対の舌片は表側のフィルムの方よりも裏側のフィルムの方が面積を大きく形成したことを特徴とする請求項１に記載の可変表示パネル。
【請求項３】
２枚のフィルムを重ねたものに補強板を張り合わせたことを特徴とする請求項１に記載の可変表示パネル。
【請求項４】
２枚のフィルムにそれぞれ舌片を形作る切り込みの端部に小円孔を形成したことを特徴とする請求項１に記載の可変表示パネル。
【発明の詳細な説明】
【０００１】
【発明の属する技術分野】
この発明は、数字や文字など表示内容の変更が手動で簡単に行える可変表示パネルに関する。
【０００２】
【発明が解決しようとする課題】
可変情報の広告掲示手段として、電光掲示板やネオン看板がよく知られる。このような広告掲示手段は、設置の費用が大きく嵩む。例えば、価格などの可変情報を表示するためにこれらを設置するのはあまりにも不経済であり、かといって０〜９の数字を表示する数桁分のパネルを用意しておき、これらを差し替えることにより、所望の数値に変えてゆくのも、これらが高い位置に据え付けの場合、パネルの変更がむずかしく、あまり実用的ではない。また、１桁分１０枚のパネルが必要なため、全体の厚みが大きくなり、設置に困る可能性もある。
【０００３】
この発明は、数字や文字など表示内容を手動で簡単に変更可能な可変表示パネルの提供を目的とする。
【０００４】
【課題を解決するための手段】
第１の発明では、複数のセグメントで数字や文字などを可変的に表示する広告掲示用の可変表示パネルとして、２枚の可撓性を備える色違いのフィルムを重ね、これらに切り込みを入れることにより、セグメント領域の重なる表裏１対の舌片を、これらを表裏方向へ押すと表面に出る方が入れ替わるように形成する。
【０００５】
第２の発明では、第１の発明における１対の舌片は、表側のフィルムの方よりも裏側のフィルムの方が面積を大きく形成する。
【０００６】
第３の発明では、第１の発明において、２枚のフィルムを重ねたものに補強板を張り合わせる。
【０００７】
第４の発明では、第１の発明において、２枚のフィルムにそれぞれ舌片を形作る切り込みの端部に小円孔を形成する。
【０００９】
【作用】
第１の発明では、セグメント領域を表裏方向へ押すと、１対の舌片がしなやかに曲がり、これらの反りが大きくなると、表側の舌片と裏側の舌片とが入れ替わり、パネル表面のセグメント領域の色が変わる。そのため、各セグメント領域の表裏１対の舌片を選択的に入れ替えることにより、パネル表面に数字などを可変的に表示することができる。また、その入れ替えも手動で簡単に行える。
【００１０】
第２の発明では、１対の舌片はパネルの表側から押すときにのみ、表裏の円滑な入れ替えが可能になる。つまり、裏側から何かで押されても、むやみに表裏が入れ替わるようなことはない。
【００１１】
第３の発明では、パネルは２枚の可撓性のフィルムで形成されるが、表裏１対の舌片を除く領域において、補強板によりパネルに必要な強度を十分に確保できる。
【００１２】
第４の発明では、舌片の曲げ応力が切り込みの端部に集中し、亀裂が発生するのを小円孔で有効に防止できる。
【００１４】
【発明の実施の形態】
図１〜図６は１字分の可変表示パネルを表すもので、このパネル１は色違いの２枚の可撓性を備えるフィルム生地から、これらを切り込み加工後に重ね合わすことにより、数字などを可変的に表示する７セグメントが形成される。
【００１５】
表側のフィルム２は図１および図３のような切り込み加工が施される。７セグメントの中央部分を除く６セグメントについては、これらの外縁ラインａから隣接するセグメント間の区画ラインｂに沿う形に切り込み１０が入り、区画ラインｂの切り込み１０は内側へ延長され、その延長端に亀裂防止用の小円孔１１を形成することにより、これら切り込み１０の内側を表裏方向へ押すと、小円孔１１間からしなやかに曲がる舌片１２が作られる。
【００１６】
残りの１セグメントについては、その下縁ラインｃから隣接するセグメント間の区画ラインｂに沿う形に切り込み１０が入り、その延長端に亀裂防止用の小円孔１１を形成することにより、この切り込み１０の内側を表裏方向へ押すと、小円孔１１間からしなやかに曲がる舌片１２が作られる。
【００１７】
裏側のフィルム３に図１および図２のような切り込み加工が施される。７セグメントの中央部分を除く６セグメントについては、これらの内縁ラインｘから隣接するセグメント間の区画ラインｙに沿う形に切り込み２０が入り、区画ラインｙの切り込み２０は外側へ延長され、その延長端に亀裂防止用の小円孔２１を形成することにより、これら切り込み２０の内側を表裏方向へ押すと、小円孔２１間からしなやかに曲がる舌片２２が作られる。
【００１８】
フィルム３は６セグメントの内側が、連続する切り込み２０により、外側から分離され、この分離フィルム３ａに残りの１セグメントの可撓片２２を形成する。分離フィルム３ａはセグメントの上縁ラインｚでカットされ、隣接するセグメント間の区画ラインｙに沿う形に切り込み２０を内側へ延長し、その延長端に亀裂防止用の小円孔１１を形成することにより、上縁ラインｚ側を表裏方向へ押すと、小円孔１１間からしなやかに曲がる舌片２２が作られる。
【００１９】
図１，図２のように、表側のフィルム２に１セグメントの可撓片２２を備えるフィルム部分３ａを含む裏側のフィルム３を重ね、これらを部分的に接着することにより、各セグメント領域に重なる表裏１対の舌片１２と２２が入れ替え可能に構成される。この場合、表側のフィルム３は隣接するセグメント間に分離帯１３（図３参照）を形成するよう、２本の切り込み１０が平行に形成される。裏側のフィルム３は各舌片２２を形成する切り込みが１本のため、裏側から押しても各舌片２２はセグメント間の分離帯１３に引っ掛かって表側へ曲るのが抑えられる。つまり、表裏１対の可撓片１２，２２は表側から押すときにのみ、表裏の円滑な入れ替えが可能になる。
【００２０】
図４のようにセグメント領域を表側から押すと、舌片１２，２２が裏側へしなやかに曲がり、これらの反りが大きくなると、裏側の舌片２２（または１２）が弾力で表側の舌片１２（または２２）の表面へ回り込むように変化する。つまり、表裏が入れ替わり、パネル１表面のセグメント領域の色が変わる。そのため、各セグメント領域の舌片１２，２２を選択的に入れ替えることにより、パネル１表面に０〜９の数字を可変的に表示することができる。例えば、図５のようにセグメント領域Ａ，Ｃ，Ｄ，Ｅ，Ｇにおいて、裏側の舌片２２を表側に出すと、パネル１表面は数字の２を表示し、図６のようにセグメント領域Ａ，Ｃ，Ｄ，Ｆ，Ｇにおいて、裏側の舌片２２を表側に出すと、パネル１表面は数字の３を表示する。
【００２１】
２枚のフィルム２，３の裏側に補強板３０が設けられる。補強板３０はアクリル板から、裏側のフィルム３において、その舌片２２の外側に囲う枠状に形成され、その裏面に重ねて接着される。このような可変表示パネル１は、後述のような広告掲示装置に組み付けられる。なお、色違いのフィルム２，３として、この例ではテトロンフィルムを使用するが、必要な可撓性が得られるなら、スチールやプラスチック等で形成しても良い。
【００２２】
フィルム２，３が可撓性を備えない場合においても、図示しないが２枚のフィルムから表裏１対の舌片を打ち抜き加工し、各フィルムにこれらをそれぞれ蝶番で表裏入れ替え可能に取り付け、各セグメント領域で１対の舌片が略同じ平面上で表裏に重なり合うように蝶番を付勢する手段を設けることにより、同様の機能を持つ可変表示パネルが形成できる。
【００２３】
図７は最小単位として１字分の広告掲示装置を表すものであり、数字などを可変的に表示するパネル１と、このパネル１を引き出し可能に納める透明なケース５０と、ケース５０の照明ライトとしての蛍光灯６０とから構成される。ケース５０は全体を透明なアクリル樹脂で戸袋状に形成され、その内部に２枚のパネル１を背中合わせに重ねて納められるようになっている。蛍光灯６０はこの場合、バックライト方式が不可能なため、エッジライト方式としてケース５０の両サイドに配置される。なお、ケース５０の照明は外照式でも良い。
【００２４】
ケース５０はパネル１の掲示場所へ蛍光灯６０と一緒に設置される。パネル１はこの場合、案内板として使用され、２枚を背中合わせケース５０へ納めることにより、ケース５０両面に数字などを表示する。数字などの表示を変更する際は、パネル１をケース５０から引き出し、既述の要領で舌片１２，２２の入れ替えを行うことにより、簡単に手動でパネル表示の変更が可能になる。このようにパネル１は、簡単に手動で表示変更を行えるが、透明なケース５０に納めて掲示するので、第三者がパネルに手を触れるのを避けられる。つまり、ケース５０により、勝手な表示変更を有効に規制できる。
【００２５】
図７の実施形態では、取付板（掲示ボート）５１に複数の窓穴５２が横に並べて形成され、裏側から各窓穴５２を塞ぐように複数のパネル１がそれぞれビス（または接着剤）を介して取り付けられる。取付板５１はこの場合、第三者が直接手を触れない、例えば店内のメニューボード等としての使用を前提にするため、パネル１が覗く窓穴５２にカバーを設けることなく、所定の掲示場所に配設される。パネル１に手が届かない場合においても、取付板５１の窓穴５２に露出するパネル面に対し、棒状のものを利用して舌片１２，２２の入れ替えを簡単かつ容易に行える。
【００２６】
図８，図１０の実施形態は給油所で使用される立て看板を想定したものであり、ケース５３は額縁状の枠体５４と、その枠内側に戸袋空間を画成する２枚の窓板５５とから構成される。枠体５４は上縁部５４ａが脱着可能に形成され、その窓板５５間へ臨む内側面に２枚のパネル５６が背中合わせに取り外し可能に組み付けられる。窓板５５は透明なアクリル樹脂で形成され、これらの間にパネル５６を納めた状態に上縁部５４ａは枠体５４にセットされる。
【００２７】
各パネル５６はこの場合、複数の商品価格を可変的に表示する掲示ボードとして、正面の略１／２を使って３つの商品名が上下３段に固定的に表記され、残りの略１／２を使って各商品の価格としてそれぞれ３桁分（合計９字分）の７セグメントが配設される。パネル５６の基本構造は、前記の１字分のパネル１（図１〜図３参照）と同じく表側のフィルム２と裏側のフィルム３とこれらの補強板３０とから構成される。図示しないが、補強板３０に所定の配置状態で９つの穴を形成し、表側のフィルム２と裏側のフィルム３への切り込み加工により、各穴毎に１字分の表裏入れ替え可能な舌片１２，２２が７対ずつ形成される。
【００２８】
ケース５３において、枠体５４の各縁部は透明なアクリル樹脂で中空断面に形成され、照明ライトとして蛍光灯５８が両サイドの側縁内部に収装される。枠体５４はその額縁状の内側面を除く外表面に不透明の塗装が施され、蛍光灯５８の光りをエッジライトとしてパネル５６側へ集中させる。５７はケース５３のスタンドであり、１対の脚柱５７ａとこれらの設置板５７ｂとから構成される。設置板５７ｂ上に蛍光灯５８の安全器５８ａが取り付けられ、これらの安全器５８を通して蛍光灯５８へ電源を投入するためのコード（図示せず）が設けられる。
【００２９】
表示価格を変更する際は、ケース５３から枠体５４の上縁部５４ａを持ち上げて、窓板５５間から２枚のパネル５６を引き出し、背中合わせのパネル５６を上縁部５４ａから外し、各パネル５６の該等７セグメントにおいて、表裏１対の舌片１２，２２を入れ替えると、パネル５６の掲示する価格が変更される。その変更後はパネル５６を再び上縁部５４ａに組み付けて、ケース５３の窓板５５間にセットする。このようにして、商品価格の表示変更は簡単に手動で行えるほか、ケース５３にスタンド５７を備えるため、立て看板として簡便に使用できる。もちろん、夜間などにおける照明も可能であり、ケース５３の窓板５５でパネル５６は保護されるため、第三者が触れて表示変更を起こすのも防止できる。
【００３０】
【発明の効果】
第１の発明によれば、複数のセグメントで数字や文字などを可変的に表示する広告掲示用の可変表示パネルとして、２枚の色違いのフィルムを重ね、各セグメント領域で表裏１対の入れ替え可能な舌片を形成したので、各セグメント領域の表裏１対の舌片を選択的に入れ替えることにより、パネル表示を簡単に手動で変更可能になる。
【００３１】
第２の発明によれば、複数のセグメントで数字や文字などを可変的に表示する広告掲示用の可変表示パネルとして、２枚１組の可撓性を備える色違いのフィルムを重ね、これらに切り込みを入れることにより、各セグメント領域で表裏１対の入れ替え可能な舌片を形成したので、セグメント領域を表裏方向へ押すと、１対の舌片が入れ替わり、セグメント領域の色が変わる。そのため、各セグメント領域の表裏１対の舌片を選択的に入れ替えると、パネル表面に数字などを可変的に表示できる。また、その入れ替えも手動で簡単に行える。
【００３２】
第２の発明によれば、第１の発明または第２の発明における１対の舌片は、表側よりも裏側の方が面積を大きく形成したので、表側から押すときにのみ表裏１対の舌片の円滑な入れ替えが可能になる。つまり、何かで裏側から押されても、むやみに表裏が入れ替わるを規制できる。
【００３３】
第４の発明によれば、第２の発明において、２枚のフィルムを重ねたものに補強板を張り合わせたので、パネルに必要な強度を確保できる。
【００３４】
第５の発明によれば、第２の発明において、２枚のフィルムにそれぞれ舌片を形作る切り込みの端部に小円孔を形成したので、各フィルムに切り込みの端部から亀裂が発生するのを防止できる。
【図面の簡単な説明】
【図１】この発明の実施形態を表すパネルの正面図である。
【図２】同じくパネルの裏面図である。
【図３】同じく表側フィルムの正面図である。
【図４】同じく作用説明図である。
【図５】同じくパネル表示の例示図である。
【図６】同じくパネル表示の例示図である。
【図７】同じくパネルの実施形態を表す斜視図である。
【図８】同じくパネルの実施形態を表す分解斜視図である。
【図９】同じくパネルの実施形態を表す斜視図である。
【図１０】同じくＡ−Ａ断面図である。
【符号の説明】
１  可変表示パネル
２，３  フィルム
１０，２０  切り込み
１１，２１  小円孔
１２，２２  舌片
１３  分離帯
３０  補強板
【図１】
0003958392.tif 000002
【図２】
0003958392.tif 000003
【図３】
0003958392.tif 000004
【図４】
0003958392.tif 000005
【図５】
0003958392.tif 000006
【図６】
0003958392.tif 000007
【図７】
0003958392.tif 000008
【図８】
0003958392.tif 000009
【図９】
0003958392.tif 000010
【図１０】
0003958392.tif 000011